(57)【特許請求の範囲】
【請求項１】
センサ端末と、第１の通信事業者の通信手段と、データセンタと、第２の通信事業者の通信手段と、携帯電話とを備え、第１の通信事業者の通信手段とデータセンタと第２の通信事業者の通信手段は専用線またはインターネットを介して接続される構成であり、
前記センサ端末は前記第１の通信事業者の通信手段と通信可能な通信手段を有し、かつ前記第１の通信事業者が前記センサ端末の端末ＩＤを管理する構成であり、前記センサ端末が前記第１の通信事業者の通信手段を介して前記データセンタに測定データを送信し、前記データセンタがその測定データを保存する構成であり、前記携帯電話が前記第２の通信事業者の通信手段を介して前記データセンタにアクセスし、前記測定データを閲覧する構成である無線通信システムにおいて、
前記データセンタは、前記携帯電話から端末ＩＤを含むサービス使用登録申請を受けたときに、前記携帯電話の電話番号と端末ＩＤとを対応付けてデータベースに保存し、該端末ＩＤを割り当てた前記第１の通信事業者に対してサービス使用登録申請を行い、さらに前記第１の通信事業者からサービス使用登録を許可されたときに該端末ＩＤをもつセンサ端末に対してサービス使用登録を行い、そのセンサ端末から送信された端末ＩＤと測定データを受信したときに端末ＩＤに対応する電話番号を求め、電話番号に対応するデータベース領域に受信した測定データを保存する構成である
ことを特徴とする無線通信システム。
【請求項２】
請求項１に記載の無線通信システムにおいて、
前記データセンタは、前記携帯電話から閲覧要求を受けたときに、前記携帯電話の電話番号に対応するデータベース領域に保存された測定データを読み出し、必要に応じて加工処理を施した測定データを閲覧要求のあった携帯電話に送信する構成である
ことを特徴とする無線通信システム。
【請求項３】
請求項１に記載の無線通信システムにおいて、
前記データセンタは、前記携帯電話からサービス使用登録解約申請を受けたときに、前記携帯電話の電話番号に対応するデータベース領域への測定データの保存を終了し、前記携帯電話の電話番号に対応する端末ＩＤを読み出し、該端末ＩＤをもつセンサ端末に対してサービス使用登録解約を行い、前記第１の通信事業者に対して該端末ＩＤに対するサービス使用停止を申請する構成である
ことを特徴とする無線通信システム。
【請求項４】
複数のセンサ端末と、第１の通信事業者の通信手段と、データセンタと、第２の通信事業者の通信手段と、携帯電話とを備え、第１の通信事業者の通信手段とデータセンタと第２の通信事業者の通信手段は専用線またはインターネットを介して接続される構成であり、
前記複数のセンサ端末は前記第１の通信事業者の通信手段と通信可能な通信手段を有し、かつ前記第１の通信事業者が前記複数のセンサ端末の各端末ＩＤを管理する構成であり、前記複数のセンサ端末が前記第１の通信事業者の通信手段を介して前記データセンタに測定データを送信し、前記データセンタがその測定データを各端末ＩＤに対応付けて保存する構成であり、前記携帯電話が前記第２の通信事業者の通信手段を介して前記データセンタにアクセスし、指定する端末ＩＤの測定データを閲覧する構成である無線通信システムにおいて、
前記データセンタは、前記携帯電話から端末ＩＤを含むサービス使用登録申請を受けたときに、前記携帯電話の電話番号と端末ＩＤとを対応付けてデータベースに保存し、該端末ＩＤを割り当てた前記第１の通信事業者に対してサービス使用登録申請を行い、さらに前記第１の通信事業者からサービス使用登録を許可されたときに該端末ＩＤをもつセンサ端末に対してサービス使用登録を行い、そのセンサ端末から送信された端末ＩＤと測定データを受信したときにその端末ＩＤに対応するデータベース領域に受信した測定データを保存する構成である
ことを特徴とする無線通信システム。
【請求項５】
請求項４に記載の無線通信システムにおいて、
前記データセンタは、前記携帯電話から端末ＩＤを含む閲覧要求を受けたときに、前記端末ＩＤに対応するデータベース領域に保存された測定データを読み出し、必要に応じて加工処理を施した測定データを閲覧要求のあった携帯電話に送信する構成である
ことを特徴とする無線通信システム。
【請求項６】
請求項４に記載の無線通信システムにおいて、
前記データセンタは、前記携帯電話から端末ＩＤを含むサービス使用登録解約申請を受けたときに、前記端末ＩＤに対応するデータベース領域への測定データの保存を終了し、前記端末ＩＤをもつセンサ端末に対してサービス使用登録解約を行い、前記第１の通信事業者に対して前記端末ＩＤに対するサービス使用停止を申請する構成である
ことを特徴とする無線通信システム。
【請求項７】
請求項１または請求項４に記載の無線通信システムにおいて、
前記データセンタは、前記センサ端末の端末ＩＤに対する暗号化端末ＩＤを保存し、前記携帯電話から暗号化端末ＩＤを含むサービス使用登録申請を受けたときに、対応する端末ＩＤに変換し、得られた端末ＩＤと前記携帯電話の電話番号とを対応付けてデータベースに保存する構成である
ことを特徴とする無線通信システム。
【発明の詳細な説明】
【技術分野】
【０００１】
本発明は、ユーザがもつセンサ端末と携帯電話との間に複数の無線通信サービス業者が介在する場合に、携帯電話からセンサ端末の無線通信サービス業者に対するサービス利用登録申請／解約およびセンサ端末の測定データの閲覧を行うための無線通信システムに関する。
【背景技術】
【０００２】
図８は、従来の無線通信システムの構成例を示す（非特許文献１）。図において、センサ端末５０には通信事業者Ａ５１の無線端末が組み込まれ、センサ端末５０の測定データが通信事業者Ａ５１の通信網Ａを介してデータセンタ（ＡＳＰ）５２に送信され、データセンタ５２のデータベースに蓄積される。ここで、センサ端末５０と通信事業者Ａ５１は、無線回線および通信事業者Ａ５１の無線基地局を介して接続され、通信事業者Ａ５１とデータセンタ５２は、通信事業者Ａ５１のゲートウェイと専用線またはインターネットを介して接続される構成である。センサ端末５０としては、体重計、血圧計、歩数計などを想定している。また、通信事業者Ａ５１の通信網Ａではパケット通信方式のデータ通信サービスが提供されているものとする。
【０００３】
一方、データセンタ５２のデータベースに蓄積された測定データは、携帯電話５３から通信事業者Ｂ５４の通信網Ｂを介してデータセンタ（ＡＳＰ）５２にアクセスすることにより、閲覧等が可能になっている。ここで、携帯端末５３と通信事業者Ｂ５４は、無線回線および通信事業者Ｂ５４の無線基地局を介して接続され、通信事業者Ｂ５４とデータセンタ５２は、通信事業者Ｂ５４のゲートウェイと専用線またはインターネットを介して接続される構成である。
【非特許文献１】http://www.nttdocomo.co.jp/corporate/investor relations/referenc/annual/pdf02/9437j 04.pdf
【発明の開示】
【発明が解決しようとする課題】
【０００４】
センサ端末とデータセンタを含む無線通信システムは、図８に示すように、異なる複数の通信事業者が介在することになる。そのため、センサ端末５０と携帯電話５３のユーザが図８に示すようなサービスを受けるには、ユーザが無線サービス通信業者Ａ，Ｂにそれぞれ個別にサービス利用登録の申請を行う必要があった。
【０００５】
本発明は、センサ端末と携帯電話との間に複数の通信事業者が介在する場合に、ユーザが携帯電話の通信事業者を介して、センサ端末の通信事業者に対するサービス利用登録申請／解約およびセンサ端末のデータ閲覧を可能とする無線通信システムを提供することを目的とする。
【課題を解決するための手段】
【０００６】
第１の発明は、センサ端末と、第１の通信事業者の通信手段と、データセンタと、第２の通信事業者の通信手段と、携帯電話とを備え、第１の通信事業者の通信手段とデータセンタと第２の通信事業者の通信手段は専用線またはインターネットを介して接続される構成であり、センサ端末は第１の通信事業者の通信手段と通信可能な通信手段を有し、かつ第１の通信事業者がセンサ端末の端末ＩＤを管理する構成であり、センサ端末が第１の通信事業者の通信手段を介してデータセンタに測定データを送信し、データセンタがその測定データを保存する構成であり、携帯電話が第２の通信事業者の通信手段を介してデータセンタにアクセスし、測定データを閲覧する構成である無線通信システムにおいて、データセンタは、携帯電話から端末ＩＤを含むサービス使用登録申請を受けたときに、携帯電話の電話番号と端末ＩＤとを対応付けてデータベースに保存し、該端末ＩＤを割り当てた第１の通信事業者に対してサービス使用登録申請を行い、さらに第１の通信事業者からサービス使用登録を許可されたときに該端末ＩＤをもつセンサ端末に対してサービス使用登録を行い、そのセンサ端末から送信された端末ＩＤと測定データを受信したときに端末ＩＤに対応する電話番号を求め、電話番号に対応するデータベース領域に受信した測定データを保存する構成である。
【０００７】
また、第１の発明の無線通信システムにおいて、データセンタは、携帯電話から閲覧要求を受けたときに、携帯電話の電話番号に対応するデータベース領域に保存された測定データを読み出し、必要に応じて加工処理を施した測定データを閲覧要求のあった携帯電話に送信する構成である。
【０００８】
また、第１の発明の無線通信システムにおいて、データセンタは、携帯電話からサービス使用登録解約申請を受けたときに、携帯電話の電話番号に対応するデータベース領域への測定データの保存を終了し、携帯電話の電話番号に対応する端末ＩＤを読み出し、該端末ＩＤをもつセンサ端末に対してサービス使用登録解約を行い、第１の通信事業者に対して該端末ＩＤに対するサービス使用停止を申請する構成である。
【０００９】
第２の発明は、複数のセンサ端末と、第１の通信事業者の通信手段と、データセンタと、第２の通信事業者の通信手段と、携帯電話とを備え、第１の通信事業者の通信手段とデータセンタと第２の通信事業者の通信手段は専用線またはインターネットを介して接続される構成であり、複数のセンサ端末は第１の通信事業者の通信手段と通信可能な通信手段を有し、かつ第１の通信事業者が複数のセンサ端末の各端末ＩＤを管理する構成であり、複数のセンサ端末が第１の通信事業者の通信手段を介してデータセンタに測定データを送信し、データセンタがその測定データを各端末ＩＤに対応付けて保存する構成であり、携帯電話が第２の通信事業者の通信手段を介してデータセンタにアクセスし、指定する端末ＩＤの測定データを閲覧する構成である無線通信システムにおいて、データセンタは、携帯電話から端末ＩＤを含むサービス使用登録申請を受けたときに、携帯電話の電話番号と端末ＩＤとを対応付けてデータベースに保存し、該端末ＩＤを割り当てた第１の通信事業者に対してサービス使用登録申請を行い、さらに第１の通信事業者からサービス使用登録を許可されたときに該端末ＩＤをもつセンサ端末に対してサービス使用登録を行い、そのセンサ端末から送信された端末ＩＤと測定データを受信したときにその端末ＩＤに対応するデータベース領域に受信した測定データを保存する構成である。
【００１０】
また、第２の発明の無線通信システムにおいて、データセンタは、携帯電話から端末ＩＤを含む閲覧要求を受けたときに、端末ＩＤに対応するデータベース領域に保存された測定データを読み出し、必要に応じて加工処理を施した測定データを閲覧要求のあった携帯電話に送信する構成である。
【００１１】
また、第２の発明の無線通信システムにおいて、データセンタは、携帯電話から端末ＩＤを含むサービス使用登録解約申請を受けたときに、端末ＩＤに対応するデータベース領域への測定データの保存を終了し、端末ＩＤをもつセンサ端末に対してサービス使用登録解約を行い、第１の通信事業者に対して端末ＩＤに対するサービス使用停止を申請する構成である。
【００１２】
また、第１または第２の発明の無線通信システムにおいて、データセンタは、センサ端末の端末ＩＤに対する暗号化端末ＩＤを保存し、携帯電話から暗号化端末ＩＤを含むサービス使用登録申請を受けたときに、対応する端末ＩＤに変換し、得られた端末ＩＤと携帯電話の電話番号とを対応付けてデータベースに保存する構成である。
【発明の効果】
【００１３】
本発明の無線通信システムは、センサ端末と携帯電話との間に複数の通信事業者が介在する場合に、ユーザが携帯電話の通信事業者を介してデータセンタにアクセスし、データセンタの処理によりセンサ端末の通信事業者に対するサービス利用登録申請を行うことができる。また、同様に携帯電話からセンサ端末のサービス利用登録解約を行うことができる。また、同様に携帯電話からデータセンタに保存されるセンサ端末のデータ閲覧を行うことができる。
【発明を実施するための最良の形態】
【００１４】
（システム構成）
図１は、本発明の無線通信システムの構成例を示す。図において、センサ端末１０とデータセンタ（ＡＳＰ）１２は、通信事業者Ａ１１の無線基地局、通信網Ａ、ゲートウェイを介して接続される。なお、センサ端末１０と無線基地局との間は無線回線、通信事業者Ａ１１のゲートウェイとデータセンタ１２との間は専用線またはインターネットを介して接続される。携帯電話１３とデータセンタ１２は、通信事業者Ｂ１４の無線基地局、通信網Ｂ、ゲートウェイを介して接続される。なお、携帯電話１３と無線基地局との間は無線回線、通信事業者Ｂ１４のゲートウェイとデータセンタ１２との間は専用線またはインターネットを介して接続される。また、以下の説明では、無線基地局、通信網およびゲートウェイを含む全体を通信事業者Ａ１１または通信事業者Ｂ１４とする。また、データセンタ（ＡＳＰ）１２の事業主体は、通信事業者Ａ１１または通信事業者Ｂ１４でもよいし、第三の通信事業者Ｃであってもよい。
【００１５】
センサ端末１０としては、体重計、血圧計、歩数計などを想定している。また、通信事業者Ａ１１ではパケット通信方式のデータ通信サービスが提供される。センサ端末１０には通信事業者Ａ１１の無線端末が組み込まれ、センサ端末１０の測定データが通信事業者Ａ１１を介してデータセンタ１２に送信され、データセンタ１２のデータベース（ＤＢ）に保存される。一方、データセンタ１２のデータベースに保存された測定データは、携帯電話１３から通信事業者Ｂ１４を介してデータセンタ１２にアクセスすることにより、閲覧等が可能になっている。
【００１６】
本発明では、ユーザが体重計等のセンサ端末１０を購入したときに、携帯電話１３からサービス使用登録を申請することにより、通信事業者Ａ１１を介してセンサ端末１０とデータセンタ１２との間の無線通信を開通させるための手順と、携帯電話１３からの閲覧手順を実現するものであり、以下にその処理手順について説明する。
【００１７】
（１携帯電話に対して１センサ端末の場合）
図２は、センサ端末１０のサービス使用登録および測定データ送信の処理手順(1) を示す。ここでは、１つの携帯電話に対して１つのセンサ端末とする。
【００１８】
図において、データセンタ１２は、通信事業者Ａ１１からセンサ端末１０の端末ＩＤの割り当てを受け（Ｓ１）、端末ＩＤから一意に暗号化端末ＩＤを求め（Ｓ２）、端末ＩＤと暗号化端末ＩＤをデータベースに保存する（Ｓ３）。この状態で、センサ端末１０を購入したユーザが携帯電話１３から通信事業者Ｂ１４に対してサービス使用登録申請を行い（Ｓ４）、携帯電話１３の電話番号に対して課金が開始されると（Ｓ５）、携帯電話１３から通信事業者Ｂ１４を介してデータセンタ１２に、電話番号と暗号化端末ＩＤが通知される（Ｓ６）。
【００１９】
データセンタ１２は、データベースを検索し、通知された暗号化端末ＩＤに対する端末ＩＤを求め（Ｓ７）、その端末ＩＤと携帯電話１３の電話番号を対応付けてデータベースに保存し（Ｓ８）、端末ＩＤを割り当てた通信事業者Ａ１１に対してサービス使用登録申請を行う（Ｓ９）。通信事業者Ａ１１が端末ＩＤに対するサービス使用登録を許可すると、その端末ＩＤをもつセンサ端末１０に対してサーバ使用登録を行い（Ｓ10）、さらに通信事業者Ａ１１からサービス使用登録を許可されたデータセンタ１２もその端末ＩＤをもつセンサ端末１０に対してサービス使用登録を行う（Ｓ11）。ここで、暗号化端末ＩＤを用いない場合には、Ｓ２，Ｓ３およびＳ７の処理は不要であり、Ｓ６の処理では電話番号と端末ＩＤが通知される。
【００２０】
センサ端末１０は、端末ＩＤと測定データを通信事業者Ａ１１に送信すると、通信事業者Ａ１１はそれをデータセンタ１２に中継する（Ｓ21）。データセンタ１２は、端末ＩＤと測定データを受信するとデータベースを検索し、端末ＩＤに対応する電話番号を求め（Ｓ22）、電話番号に対応するデータベース領域に受信した測定データを保存する（Ｓ23）。
【００２１】
図３は、センサ端末１０の測定データを携帯電話１３から閲覧する処理手順(1) を示す。ここでは、１つの携帯電話に対して１つのセンサ端末とする。図において、携帯電話１３から通信事業者Ｂ１４を介してデータセンタ１２に閲覧要求を行う（Ｓ31）。データセンタ１２は、携帯電話１３の電話番号に対応する測定データをデータベースから読み出し（Ｓ32）、その測定データを表、グラフ、その他の方式により加工し（Ｓ33）、携帯電話１３に送信する（Ｓ34）。
【００２２】
図４は、センサ端末１０のサービス使用登録解約の処理手順(1) を示す。ここでは、１つの携帯電話に対して１つのセンサ端末とする。図において、携帯電話１３から通信事業者Ｂ１４を介してデータセンタ１２にサービス使用登録解約申請を行う（Ｓ41）。データセンタ１２は、携帯電話１３の電話番号と解約申請を受信すると、通信事業者Ｂ１４に対してその電話番号に対する課金停止申請を行い（Ｓ42）、通信事業者Ｂ１４は課金を終了する（Ｓ43）。さらに、データセンタ１２は、電話番号に対応するユーザの測定データの保存を終了し（Ｓ44）、データベースから電話番号に対応する端末ＩＤを求め（Ｓ45）、その端末ＩＤのセンサ端末１０に対してサービス使用登録を解約して測定データの送信を停止させ（Ｓ46）、通信事業者Ａ１１に対してその端末ＩＤの使用停止申請を行う（Ｓ47）。通信事業者Ａ１１は、使用停止申請を受けた端末ＩＤのセンサ端末１０に対するサービス使用登録解約を行う（Ｓ48）。
【００２３】
（１携帯電話に対して複数センサ端末の場合）
図５は、センサ端末１０のサービス使用登録および測定データ送信の処理手順(2) を示す。ここでは、１つの携帯電話に対して複数のセンサ端末とする。
【００２４】
図において、データセンタ１２は、通信事業者Ａ１１からセンサ端末１０の端末ＩＤの割り当てを受け（Ｓ１）、端末ＩＤから一意に暗号化端末ＩＤを求め（Ｓ２）、端末ＩＤと暗号化端末ＩＤをデータベースに保存する（Ｓ３）。この状態で、センサ端末１０を購入したユーザが携帯電話１３から通信事業者Ｂ１４に対してサービス使用登録申請を行い（Ｓ４）、携帯電話１３の電話番号に対して課金が開始されると（Ｓ５）、携帯電話１３から通信事業者Ｂ１４を介してデータセンタ１２に、電話番号と暗号化端末ＩＤが通知される（Ｓ６）。
【００２５】
データセンタ１２は、データベースを検索し、通知された暗号化端末ＩＤに対する端末ＩＤを求め（Ｓ７）、その端末ＩＤと携帯電話１３の電話番号を対応付けてデータベースに保存し（Ｓ８）、端末ＩＤを割り当てた通信事業者Ａ１１に対してサービス使用登録申請を行う（Ｓ９）。通信事業者Ａ１１が端末ＩＤに対するサービス使用登録を許可すると、その端末ＩＤをもつセンサ端末１０に対してサーバ使用登録を行い（Ｓ10）、さらに通信事業者Ａ１１からサービス使用登録を許可されたデータセンタ１２もその端末ＩＤをもつセンサ端末１０に対してサービス使用登録を行う（Ｓ11）。ここで、暗号化端末ＩＤを用いない場合には、Ｓ２，Ｓ３およびＳ７の処理は不要であり、Ｓ６の処理では電話番号と端末ＩＤが通知される。ここまでは、センサ端末が１つの場合と同様である。
【００２６】
センサ端末１０は、端末ＩＤと測定データを通信事業者Ａ１１に送信すると、通信事業者Ａ１１はそれをデータセンタ１２に中継する（Ｓ21）。データセンタ１２は、端末ＩＤと測定データを受信すると、端末ＩＤに対応するデータベース領域に受信した測定データを保存する（Ｓ23′）。この測定データを端末ＩＤに対応するデータベース領域に保存するところが、センサ端末が１つの場合と異なる。
【００２７】
図６は、センサ端末１０の測定データを携帯電話１３から閲覧する処理手順を示す。ここでは、１つの携帯電話に対して複数のセンサ端末とする。
【００２８】
図において、携帯電話１３から通信事業者Ｂ１４を介してデータセンタ１２に閲覧要求を行う。このとき、閲覧要求する端末ＩＤを通知する（Ｓ31′）。データセンタ１２は、携帯電話１３の端末ＩＤに対応する測定データをデータベースから読み出し（Ｓ32′）、その測定データを表、グラフ、その他の方式により加工し（Ｓ33）、携帯電話１３に送信する（Ｓ34）。
【００２９】
図７は、センサ端末１０のサービス使用登録解約の処理手順を示す。ここでは、１つの携帯電話に対して複数のセンサ端末とする。
【００３０】
図において、携帯電話１３から通信事業者Ｂ１４を介してデータセンタ１２にサービス使用登録解約申請を行う。このとき、解約申請する端末ＩＤを通知する（Ｓ41′）。データセンタ１２は、携帯電話１３の電話番号、端末ＩＤと解約申請を受信すると、通信事業者Ｂ１４に対してその電話番号に対する課金停止申請を行い（Ｓ42）、通信事業者Ｂ１４は課金を終了する（Ｓ43）。さらに、データセンタ１２は、端末ＩＤに対応するユーザの測定データの保存を終了し（Ｓ44′）、その端末ＩＤのセンサ端末１０に対してサービス使用登録を解約して測定データの送信を停止させ（Ｓ46）、通信事業者Ａ１１に対してその端末ＩＤの使用停止申請を行う（Ｓ47）。通信事業者Ａ１１は、使用停止申請を受けた端末ＩＤのセンサ端末１０に対するサービス使用登録解約を行う（Ｓ48）。
【図面の簡単な説明】
【００３１】
【図１】本発明の無線通信システムの構成例を示す図。
【図２】センサ端末１０のサービス使用登録および測定データ送信の処理手順(1) を示す図。
【図３】センサ端末１０の測定データを携帯電話１３から閲覧する処理手順(1) を示す図。
【図４】センサ端末１０のサービス使用登録解約の処理手順(1) を示す図。
【図５】センサ端末１０のサービス使用登録および測定データ送信の処理手順(2) を示す図。
【図６】センサ端末１０の測定データを携帯電話１３から閲覧する処理手順(2) を示す図。
【図７】センサ端末１０のサービス使用登録解約の処理手順(2) を示す図。
【図８】従来の無線通信システムの構成例を示す図。
【符号の説明】
【００３２】
１０  センサ端末
１１  通信事業者Ａ
１２  データセンタ（ＡＳＰ）
１３  携帯電話
１４  通信事業者Ｂ
５０  センサ端末
５１  通信事業者Ａ
５２  データセンタ（ＡＳＰ）
５３  携帯電話
５４  通信事業者Ｂ
【図１】
0004520400.tif 000002
【図２】
0004520400.tif 000003
【図３】
0004520400.tif 000004
【図４】
0004520400.tif 000005
【図５】
0004520400.tif 000006
【図６】
0004520400.tif 000007
【図７】
0004520400.tif 000008
【図８】
0004520400.tif 000009